(57)【要約】【課題】大規模な仮設を不要として建物をある程度使用しながらの施工が可能で、施工後の外観を損なうことがないこと。【解決手段】既設柱２０に荷重を伝える補強架構３０を既設小屋梁１の上方に設置する。次に補強架構３０と小屋梁１との間に荷重計測器３６を有した引上げ手段３５を設ける。次に補強架構３０と小屋梁１との間に吊上げ手段３８を設ける。次に引上げ手段３５により小屋梁１を引上げ荷重計測器３６によって引上げ荷重を計測する。次に引上げ手段３５による引上げ荷重となるように吊上げ手段３８による吊上げ力を調整する。次に引上げ手段３５を撤去する。これによれば、木工事が主体の施工となるため大掛かりな仮設が不要となって施設をある程度使用しながら施工が行える。また施工後には補強架構３０と吊上げ手段３８とが小屋組内に追加されるだけで外観を損なわず十分な補強が行える。【選択図】　　　図３
2004143848.tif 000002
【特許請求の範囲】
【請求項１】
既設柱に荷重を伝える補強架構を既設小屋梁の上方に設置する工程と、
前記補強架構と前記小屋梁との間に引上げ手段および吊上げ手段を設ける工程と、
前記引上げ手段により前記小屋梁を引上げる工程と、
前記引上げ手段による引上げ位置となるように前記吊上げ手段による吊上げ力を調整する工程と、
前記引上げ手段を撤去する工程と、
を含むことを特徴とする木造屋根小屋梁の補強施工方法。
【請求項２】
既設柱に荷重を伝える補強架構を既設小屋梁の上方に設置する工程と、
前記補強架構と前記小屋梁との間に荷重計測器を有した引上げ手段、および吊上げ手段を設ける工程と、
前記引上げ手段により前記小屋梁を引上げて、前記荷重計測器によって引上げ荷重を計測する工程と、
前記引上げ手段による引上げ荷重となるように前記吊上げ手段による吊上げ力を調整する工程と、
前記引上げ手段を撤去する工程と、
を含むことを特徴とする木造屋根小屋梁の補強施工方法。
【請求項３】
前記引上げ手段を撤去した後、前記小屋梁に繊維強化シートを貼り付ける工程を含むことを特徴とする請求項１または請求項２記載の木造屋根小屋梁の補強施工方法。
【請求項４】
既設小屋梁の上方に設置されて既設柱に荷重を伝える補強架構と、
前記補強架構と前記小屋梁との間に設けられて前記小屋梁の荷重を前記補強架構に伝える吊上げ手段と、
を備えたことを特徴とする木造屋根小屋梁の補強構造。
【発明の詳細な説明】
【０００１】
【発明の属する技術分野】
本発明は、既設の木造屋根小屋梁の補強の際に採用される木造屋根小屋梁の補強施工方法および補強構造に関するものである。
【０００２】
【従来の技術】
例えば、既設の木造建物では、小屋梁が長年月の間に傷んだり撓んだりして、構造耐力が減少して屋根などの重量を支えられなくなるなどの問題が生じる。また、当初より梁断面が小さ過ぎたものや、長年月の間に屋根仕上が変更されて重量が増加するなどの場合もある。
【０００３】
従来、木造屋根小屋梁の補強を行う例としては、木造の柱を貫通して設ける既設の木造貫を鉄骨材に交換し、この鉄骨材を囲むようにしてその周囲に木材からなる化粧材を取り付けている（例えば、特許文献１参照。）。この場合では、貫を交換して補強するものであるが、この要領で既設の小屋梁を交換することが考えられる。
【０００４】
また、他に、木造屋根小屋梁の補強を行う例としては、枠体により囲まれる空間内に、枠体の剛性を増加するフレーム、トラス、ブレース、補強板などの鉄骨の補強部材を配設している（例えば、特許文献２参照。）。
【０００５】
また、小屋梁が、屋根の重量を支えられなくなることから、屋根の軽量化改修を行うことも考えられる。
【０００６】
【特許文献１】
特開２０００−２３４４４４号公報
【特許文献２】
特開２００１−１０７５０２号公報
【０００７】
【発明が解決しようとする課題】
しかしながら、小屋梁の交換に際しては、小屋梁が支える屋根を仮に支える大規模な仮設工事が必要となる。また、屋根の軽量化改修に際しては、建物全体を覆う素屋根の設置が必要となる。また、鉄骨の補強部材を配設する際には、既存の木造建物における小屋組内での溶接が厳禁であるため、取付精度の点で現場合わせがし難いという問題がある。また、特に、歴史的建造物において鉄骨部分が外観に多くあらわれると外観が損なわれてしまう。さらに、上記それぞれの施工に際しては、施工に手間がかかるとともに施工中建物が使用できなくなるなどの問題が生じる。
【０００８】
本発明は、上記実情に鑑みて、大規模な仮設を不要として建物をある程度使用しながらの施工が可能であり、施工後の外観を損なうことがない木造屋根小屋梁の補強施工方法および補強構造を提供することを目的とする。
【０００９】
【課題を解決するための手段】
上記の目的を達成するために、本発明の請求項１に係る木造屋根小屋梁の補強施工方法は、既設柱に荷重を伝える補強架構を既設小屋梁の上方に設置する工程と、前記補強架構と前記小屋梁との間に引上げ手段および吊上げ手段を設ける工程と、前記引上げ手段により前記小屋梁を引上げる工程と、前記引上げ手段による引上げ位置となるように前記吊上げ手段による吊上げ力を調整する工程と、前記引上げ手段を撤去する工程とを含むことを特徴とする。
【００１０】
この発明によれば、既存の小屋組内での補強工事なので、大掛かりな仮設が不要となり、施設をある程度使用しながら施工が行える。また、補強架構を木造とすることにより場所ごとに形状の異なる既存部材との取り合いを現場加工により精度よく取り合わせることができる。また、補強架構に小屋梁の荷重を伝える際には、小屋梁を引上げ手段で引上げた引上げ荷重を吊上げ手段に移行するため、吊上げ力の導入が確実かつ安全に行える。また、施工後には、補強架構および吊上げ手段が小屋組内に追加されるだけなので外観を損なうことがなく十分な補強を行うことができる。
【００１１】
また、本発明の請求項２に係る木造屋根小屋梁の補強施工方法は、既設柱に荷重を伝える補強架構を既設小屋梁の上方に設置する工程と、前記補強架構と前記小屋梁との間に荷重計測器を有した引上げ手段、および吊上げ手段を設ける工程と、前記引上げ手段により前記小屋梁を引上げて、前記荷重計測器によって引上げ荷重を計測する工程と、前記引上げ手段による引上げ荷重となるように前記吊上げ手段による吊上げ力を調整する工程と、前記引上げ手段を撤去する工程とを含むことを特徴とする。
【００１２】
この発明によれば、引上げ手段が荷重計測器を有しているため、引上げ荷重を吊上げ手段に移行する過程で荷重の計測を行い、かつ、その荷重をそのまま吊上げ手段に移行することとなる。すなわち、簡単な段取りで吊上げ手段の取り付け施工や、吊上げ手段による吊上げ力の管理が精度よく安全に行われる。
【００１３】
また、本発明の請求項３に係る木造屋根小屋梁の補強施工方法は、上記請求項１または２において、前記引上げ手段を撤去した後、前記小屋梁に樹脂注入をしたり繊維強化シートを貼り付ける工程を含むことを特徴とする。
【００１４】
この発明によれば、小屋梁の割れなどの補修がともに行える。
【００１５】
また、本発明の請求項４に係る木造屋根小屋梁の補強構造は、既設小屋梁の上方に設置されて既設柱に荷重を伝える補強架構と、前記補強架構と前記小屋梁との間に設けられて前記小屋梁の荷重を前記補強架構に伝える吊上げ手段と、を備えたことを特徴とする。
【００１６】
この発明によれば、小屋梁にかかっていた応力を補強架構で補って軽減させる。また、補強架構および吊上げ手段が小屋組内に追加されるだけなので外観を損なうことがなく十分な補強が行える。
【００１７】
【発明の実施の形態】
以下に添付図面を参照して、本発明に係る木造屋根小屋梁の補強施工方法の実施の形態を説明する。図１乃至図５は木造屋根小屋梁の補強施工手順を示す図、図６乃至図８は補強施工にかかる細部詳細図である。
【００１８】
図１に示すように、本実施の形態において補強すべき既設の木造屋根小屋梁１（以下、小屋梁という。）は、既設の柱２０の上に架設された各軒げた２１の間に架設されている。また、図示しないが、小屋梁１には、不図示の小屋束などを介して屋根２２が支えられている。これにより、小屋梁１は、屋根２２の荷重を軒げた２１を介して柱２０に伝える。本実施の形態では、上記小屋梁１が長年月の間に傷んだり撓んだりして、屋根２２の重量を支えられなくなった際の小屋梁１の補強を行う。なお、図５に示すように、本実施の形態では、小屋梁１の上に直交梁１１が設けられている。直交梁１１には、対束２３が立設されている。また、対束２３の上には、二重梁２４が設けられており、二重梁２４の上に直交梁２５が設けられている。
【００１９】
まず、図１に示すように、小屋梁１の上方に、補強架構３０を設置する。補強架構３０は、木造であり上記直交梁２５の上方に架設される。また、補強架構３０の両端には、それぞれ木造補強合掌３１を設ける。この木造補強合掌３１は、補強架構３０の両端と小屋梁１の両端近傍との間にそれぞれ連設され、その軸線が軒げた２１に向かっている。すなわち、補強架構３０にかかる荷重は、木造補強合掌３１を介して軒げた２１および柱２０に伝わる。
【００２０】
図６（ａ），（ｂ）に示すように、補強架構３０は、直交梁２５に対してかすがいなどの固定具３２で固定された木造の倒れ止め３３によって自身の直交方向への移動が抑えられつつ、隙間３４を有して直交梁２５に非接触な状態で支持される。また、木造補強合掌３１の上端は、図６（ａ）に示すように、補強架構３０に対して平金物などの固定具３２で固定される、さらに、木造補強合掌３１の下端は、図７（ａ）に示すように、小屋梁１に対してかすがいなどの固定具３２で固定される。また、木造補強合掌３１の下端は、図７（ｂ）に示すように、通しボルトなどの固定具３２でも固定できる。なお、直交梁２５と補強架構３０との間の上記隙間３４は、補強架構３０を設ける際に、直交梁２５と補強架構３０との間に不図示の仮設スペーサを介在させ、各木造補強合掌３１を設けた後に仮設スペーサを撤去することにより得られる。
【００２１】
次に、図２に示すように、小屋梁１と補強架構３０との間に引上げ手段３５を設ける。引上げ手段３５は、いわゆるチェーンブロックであり、補強架構３０側と小屋梁１側とを繋げるブロック３５ａと、このブロック３５ａから垂れ下がり小屋梁１を上方に引上げるための操作を行うチェーン３５ｂとからなる。このように、引上げ手段３５は、小屋梁１と補強架構３０との間に連設されて、小屋梁１を補強架構３０側に引上げる。なお、この引上げ工事の工程で、上記補強架構３０と直交梁２５との間の隙間３４は徐々に小さくなる。そして、工事完了時には、補強架構３０と、直交梁２５または倒れ止め３３との間に連続する印を施し、その間のずれを目視確認することにより小屋梁１の工事完了後の変形の進捗をメンテナンスの目安としてモニターすることができる。
【００２２】
また、引上げ手段３５は、荷重計測器３６を有している。荷重計測器３６は、引上げ手段３５のブロック３５ａと小屋梁１との間に連設されて、引上げ手段３５によって小屋梁１を引上げる引上げ荷重を計測する。
【００２３】
なお、本実施の形態において、上記引上げ手段３５は、小屋梁１と補強架構３０との間に複数設けられている。図２に示す本実施の形態での引上げ手段３５は、補強架構３０の一端側と他端側とに二箇所設けられている。このようにすれば、それぞれの位置で小屋梁１を引上げる荷重を計測することが可能である。
【００２４】
次に、図３に示すように、小屋梁１と補強架構３０との間に吊上げ手段３８を設ける。吊上げ手段３８は、主に、軽量鋼などからなる上下テンションロッド３８ａとターンバックル３８ｂとを有している。上テンションロッド３８ａは、棒状をなして両端に雄ネジ部が形成されている。下テンションロッド３８ａは、棒状をなして一端に雄ネジ部が形成され、他端に取付片３８ｃが固定されている。ターンバックル３８ｂは、長手状の両端の同軸上に、上下テンションロッド３８ａの雄ネジ部が螺着する雌ネジ部が形成されている。ターンバックル３８ｂは、上記螺着によって上下テンションロッド３８ａの端部を内装する。
【００２５】
吊上げ手段３８は、上下テンションロッド３８ａの間にターンバックル３８ｂを有してなる。上下テンションロッド３８ａの何れか一つは、その雄ネジ部が逆ネジとして構成されている。また、ターンバックル３８ｂの雌ネジ部の何れか一つは、逆ネジとして構成されている。このため、ターンバックル３８ｂを雌ネジ部中心に一方に回転させると上下テンションロッド３８ａが相対的に近づいて吊上げ手段３８の全体の長さが短くなり、ターンバックル３８ｂを他方に回転させると上下テンションロッド３８ａが相対的に離れて吊上げ手段３８の全体の長さが長くなる。
【００２６】
図６（ａ），（ｂ）に示すように、上テンションロッド３８ａは、上端が補強架構３０に貫通され、その雄ネジ部に座金３９ａを介してナット３９ｂが螺合されて補強架構３０側に取り付けられる。また、図８（ａ），（ｂ）に示すように、下テンションロッド３８ａは、取付片３８ｃが小屋梁１に固定されたフレーム４０に連結されて小屋梁１側に取り付けられる。フレーム４０は、小屋梁１の周囲を上下左右で略ロ字状に囲むようにボルト締めにてそれぞれ連結された上下左右のフレーム板４０ａ，４０ｂ，４０ｃ，４０ｄで構成されている。上下フレーム板４０ａ，４０ｂは、前後対で左右フレーム板４０ｃ，４０ｄを挟む。下テンションロッド３８ａの取付片３８ｃは、上フレーム板４０ａにボルト締めにて連結される。また、小屋梁１と上フレーム板４０ａとの間、および小屋梁１と下フレーム板４０ｂとの間には、小屋梁１とフレーム４０とのがたつきを防止する枕木４１がそれぞれ設けられている。
【００２７】
なお、本実施の形態において、上記吊上げ手段３８は、小屋梁１と補強架構３０との間に複数設けられている。図３に示す本実施の形態での吊上げ手段３８は、補強架構３０の一端側と他端側とに二箇所設けられている。このようにすれば、小屋梁１を釣り合いよく吊り上げることが可能である。
【００２８】
次に、引上げ手段３５により、小屋梁１を引上げる。この際、荷重計測器３６によって引上げ荷重を計測する。なお、上記の如く、引上げ手段３５は、小屋梁１と補強架構３０との間に二箇所設けられているので、それぞれの引上げ荷重を均等に調整することが可能である。
【００２９】
次に、上記引上げ手段３５による引上げ荷重（引上げ位置）となるように吊上げ手段３８による吊上げ力を調整する。吊上げ手段３８は、引上げ手段３５によって小屋梁１を引上げると、上テンションロッド３８ａの上端が上がって座金３９ａと補強架構３０との間が空く。吊上げ手段３５の調整では、ターンバックル３８ｂの回転により上下テンションロッド３８ａを近づけて吊上げ手段３８の全体の長さを短くすることで、上記座金３９ａと補強架構３０との間を無くす。これにより、吊上げ手段３８の吊上げ力が、引上げ手段３５による引上げ荷重と等しくなる。なお、上記の如く、吊上げ手段３８は、引上げ手段３５と同じく、小屋梁１と補強架構３０との間に二箇所設けられているので、各引上げ手段３５の引上げ荷重を各吊上げ手段３８に移行することが可能である。
【００３０】
最後に、図４に示すように、引上げ手段３５を撤去すれば、小屋梁１の補強が実施される。
【００３１】
なお、上記引上げ手段３５による小屋梁１の引上げ工程と、吊上げ手段３８による引上げ荷重の移行の工程に際して、小屋梁１の引上げによって各柱２０へかかる荷重の方向の変化による各柱２０の倒れ（傾き）など、各所の変形をモニターする。これにより、全体架構の安全のチェックを行うことが可能となる。
【００３２】
本補強施工方法および補強構造では、小屋梁１の引上げにより木造補強合掌３１に作用する圧縮軸力を小屋梁１の引張力により処理する仕組みとなっている点に特徴がある。すなわち、力の釣り合いが自分自身で完結している自碇式の構造をなしている。万一、小屋梁１の劣化が著しく引張力を支えられずにこれが変形した場合には、木造補強合掌３１の反力により土居桁が外側に押し出されたり転んだりという変形性状を示すおそれがある。そこで、念のために柱２０間を繋ぐ仮設タイバー（不図示）を設置するとよい。
【００３３】
したがって、上述の如く施工された木造屋根小屋梁の補強構造によれば、補強架構３０および木造補強合掌３１を小屋梁１の上方に設け、補強架構３０に小屋梁１の荷重を伝える吊上げ手段３８を設けている（図５参照）。これにより、施工前に小屋梁１にかかっていた応力を補強架構３０で補って軽減させることが可能となり、既設の小屋梁１を合わせた架構として補強が行われる。
【００３４】
また、図４および図５に示すように、木造である補強架構３０および木造補強合掌３１と、主に棒状の吊上げ手段３８とが小屋組内に追加されるだけなので、外観を損なうことがなく十分な補強を行うことが可能である。
【００３５】
また、上述した木造屋根小屋梁の補強施工方法によれば、補強架構３０の施工が、木造補強合掌３１とともに木工事が主体となる。このため、大掛かりな仮設が不要となり、新設材、既設材の取り合い部の精度も現場加工で確保し易くなるので、施設をある程度使用しながら施工を行うことが可能となる。
【００３６】
また、補強架構３０に小屋梁１の荷重を伝える際には、小屋梁１を引上げ手段３５で引上げ、この引上げ荷重を吊上げ手段３８に移行している。このため、仕組み・手順が単純となるので精度よく加工を行うことが可能となり、また、吊上げ力の導入を確実かつ安全に行うことが可能となる。
【００３７】
また、引上げ手段３５は、荷重計測器３６を有している。このため、引上げ荷重を吊上げ手段３８に移行する過程で荷重の計測が行われ、かつ、その荷重をそのまま吊上げ手段３８に移行することが可能である。すなわち、簡単な段取りで吊上げ手段３８の取り付け施工や、吊上げ手段３８による吊上げ力の管理を精度よく行うことが可能となる。
【００３８】
ところで、上記木造屋根小屋梁の補強施工方法の続きとして、小屋梁１に生じた割れなどの補修が行われる。この割れなどの補修は、樹脂の注入や繊維強化シートの貼り付けによって行われるものであり、その施工方法を以下に説明する。図９（ａ）乃至図９（ｆ）は繊維強化シートを用いた補強施工方法の手順を示す図である。
【００３９】
図９（ａ）に示すように、小屋梁１には、屋根２２の重みがかかる。このため、図９（ａ）中矢印Ｄ方向に生じる曲げモーメントによって小屋梁１の下側に割れ部２が生じることが多い。そこで、以下の如く割れ部２を補修し小屋梁１の補強を行う。なお、上記割れ部２は、比較的大きい曲げモーメントがかかる直行梁１１の直下の部分に生じ易いため、直交梁１１の直下にある小屋梁１の部分に生じた割れ部２の補修を一例として説明する。
【００４０】
まず、図９（ａ）に示すように、引上げ手段３５を撤去した後、割れ部２にエポキシ樹脂などの充填剤３を充填する。
【００４１】
次に、図９（ｂ）に示すように、割れ部２からはみ出した充填剤３を清掃して、小屋梁１の外周にプライマー４を塗布する。そして、プライマー４が指触硬化後、小屋梁１の外周にエポキシパテなどのパテ剤５を平滑に均す。
【００４２】
次に、図９（ｃ）に示すように、パテ剤５が硬化後、小屋梁１の下側であって、割れ部２を被覆するように、小屋梁１の繊維方向（長手方向）に沿って第１の繊維強化シート６を貼り付ける。なお、第１の繊維強化シート６は、吊上げ手段３８のフレーム４０のある部分は避けて貼り付けられる。
【００４３】
第１の繊維強化シート６は、炭素繊維、ガラス繊維、ビニロン繊維、アラミド繊維などからなり、その繊維方向を縦横に配向してシート状に形成することが可能である。なお、主となる繊維方向は繊維強化シートの長辺方向と一致している。また、第１の繊維強化シート６を貼り付ける際には、貼り付け部分にエポキシ樹脂などからなる接着剤を塗布する。その後、第１の繊維強化シート６を貼り合わせローラなどで押圧して接着剤を第１の繊維強化シート６に含浸させる。このように貼り付けられる第１の繊維強化シート６は、多層に貼り付けられる。一例としては、３００ｇ／ｍ２目付で幅５００ｍｍのものを４層重ねて貼り付ける。なお、上記寸法、重ね数などは、小屋梁１への応力状態、小屋梁１の傷み具合や小屋梁１の寸法により適宜変更できる。
【００４４】
次に、第１の繊維強化シート６を貼り付ける接着剤の硬化後、小屋梁１の下側であって割れ部２の位置から両端を割れ部２と相反する側に掛けて小屋梁１の繊維方向（長手方向）に斜めに交差して第２の繊維強化シート７を巻装する。このように、第２の繊維強化シート７は、直交梁１１を避けるようにして貼り付けられる。第２の繊維強化シート７は、上記第１の繊維強化シート６と同じく形成され、第１の繊維強化シート７と同じく接着剤で貼り付けられる。
【００４５】
続いて、第２の繊維強化シート７を上記の如く貼り付けるとともに、別の第２の繊維強化シート７´を小屋梁１の割れ部２の位置から両端を割れ部２と相反する側に掛けて第２の繊維強化シート７に交互に重ねて貼り付ける。すなわち、第２の繊維強化シート７，７´は、割れ部２の位置にて重なり、たすき掛けの要領で貼り付けられる。また、たすき掛けとなる割れ部２の位置には、第２の繊維強化シート７，７´を多層（例えば４層）重ねて貼り付ける。また、第２の繊維強化シート７と別の第２の繊維強化シート７´とは、互いの端部が小屋梁１の上側にて重合して貼り付けられる。この重合部分は、本実施の形態では例えば２００ｍｍとする。なお、上記寸法、重ね数などは、小屋梁１への応力状態、小屋梁１の傷み具合や小屋梁１の寸法により適宜変更できる。
【００４６】
最後に、第２の繊維強化シート７，７´を貼り付ける接着剤の硬化後、第１の繊維強化シート６および第２の繊維強化シート７，７´に重ねて、第３の繊維強化シート８を小屋梁１の繊維方向（長手方向）に直行して巻装して貼り付ける。この第３の繊維強化シート８は、直交梁１１およびフレーム４０の部分を避けて貼り付けられる。第２の繊維強化シート７は、上記第１の繊維強化シート６と同じく形成され、第１の繊維強化シート７と同じく接着剤で貼り付けられる。また、第３の繊維強化シート８は、その両端部が小屋梁１の上側にて重合して貼り付けられる。この重合部分は、本実施の形態では例えば２００ｍｍとする。また、上記の如く貼り付けられる第３の繊維強化シート８は、多層（例えば４層）重ねて貼り付けられる。なお、上記寸法、重ね数などは、小屋梁１への応力状態、小屋梁１の傷み具合や小屋梁１の寸法により適宜変更できる。
【００４７】
なお、第３の繊維強化シート８を多層重ねて貼り付ける際には、１層目の隣同士を重ねず端部を付き合わせて貼る。そして、２層目を前記付き合わせ部を覆うようにずらして貼り付ける。さらに、３層目以降も同様にして付き合わせ部位置を他層とずらして貼り付ける。第３の繊維強化シート８は、このようにして多層重ねて貼り付けることが好ましい。なお、上記寸法、重ね数などは、小屋梁１への応力状態、小屋梁１の傷み具合や小屋梁１の寸法により適宜変更できる。
【００４８】
したがって、上述した繊維強化シートを用いた木造屋根小屋梁の補強施工方法では、第２の繊維強化シート７，７´が、小屋梁１の繊維方向に交差して貼り付けられている。これにより、小屋梁１にかかる図９（ａ）中矢印Ｄ方向の曲げモーメントを受け持てる引張抵抗を得ることが可能となる。この第２の繊維強化シート７，７´は、小屋梁１の割れ部２の位置で交互に重ねて貼り付けられて、たすき掛けにされてなる。これにより、割れ部２にかかる曲げモーメントおよびせん断力を受け持てる十分な引張抵抗が得られる。
【００４９】
また、第２の繊維強化シート７，７´は、小屋梁１の繊維方向に交差して貼り付けられているので、図９（ａ）〜（ｆ）に示すように、小屋梁１の上側に直交梁１１が存在していても、この直交梁１１を避けるようにして第２の繊維強化シート７，７´を貼り付けることが可能である。すなわち、比較的大きい曲げモーメントがかかる直交梁１１の直下の小屋梁１の部分の補修および補強が可能である。
【００５０】
また、第３の繊維強化シート８が、小屋梁１の繊維方向（長手方向）に直行して巻装して貼り付けられている。これにより、老化や繊維方向（長手方向）への圧縮力によって小屋梁１の繊維方向の直行方向に、はらみや膨らみが生じようとしても、第３の繊維強化シート８によって、はらみや膨らみを防止することが可能である。
【００５１】
【発明の効果】
以上説明したように、本発明の木造屋根小屋梁の補強施工方法によれば、既設柱に荷重を伝える補強架構を設置する既存の小屋組内での補強工事なので、大掛かりな仮設が不要となり、施設をある程度使用しながら施工が行える。また、補強架構を木造とすることにより場所ごとに形状の異なる既存部材との取り合いを現場加工により精度よく取り合わせることができる。また、補強架構に小屋梁の荷重を伝える際に、小屋梁を引上げ手段で引上げた引上げ荷重を吊上げ手段に移行するため、仕組み・手順が単純となり精度よく加工を行うことが可能となり、また、吊上げ力の導入を確実かつ安全に行うことができる。また、施工後では、補強架構および吊上げ手段が小屋組内に追加されるだけなので外観を損なうことがなく十分な補強を行うことができる。
【００５２】
また、引上げ手段が荷重計測器を有しているため、引上げ荷重を吊上げ手段に移行する過程で小屋梁を引上げる荷重の計測を行い、かつ、その荷重をそのまま吊上げ手段に移行することとなる。これにより、簡単な段取りで吊上げ手段の取り付け施工や、吊上げ手段による吊上げ力の管理を精度よく安全に行うことができる。
【００５３】
また、引上げ手段を撤去した後、小屋梁に繊維強化シートを貼り付ければ、小屋梁に生じた割れなどの補修をともに行うことができる。
【００５４】
また、本発明の木造屋根小屋梁の補強構造によれば、小屋梁にかかっていた応力を補強架構で補って軽減させることができる。また、補強架構および吊上げ手段が小屋組内に追加されるだけなので外観を損なうことがなく十分な補強を行うことができる。
【図面の簡単な説明】
【図１】木造屋根小屋梁の補強施工手順を示す図である。
【図２】木造屋根小屋梁の補強施工手順を示す図である。
【図３】木造屋根小屋梁の補強施工手順を示す図である。
【図４】（ａ）木造屋根小屋梁の補強施工手順を示す図である。
（ｂ）図４（ａ）における矢視Ａ−Ａ図である。
【図５】木造屋根小屋梁の補強施工手順を示す図（斜視図）である。
【図６】補強施工にかかる細部詳細図である。
【図７】（ａ）（ｂ）補強施工にかかる細部詳細図である。
【図８】補強施工にかかる細部詳細図である。
【図９】（ａ）〜（ｆ）繊維強化シートを用いた補強施工方法の手順を示す図である。
【符号の説明】
１　　小屋梁
６，７，７´，８　　繊維強化シート
２０　　柱
３０　　補強架構
３５　　引上げ手段
３６　　荷重計測器
３８　　吊上げ手段
【図１】
2004143848.tif 000003
【図２】
2004143848.tif 000004
【図３】
2004143848.tif 000005
【図４】
2004143848.tif 000006
【図５】
2004143848.tif 000007
【図６】
2004143848.tif 000008
【図７】
2004143848.tif 000009
【図８】
2004143848.tif 000010
【図９】
2004143848.tif 000011